(57)【特許請求の範囲】
【請求項１】
プリンタが直接接続され、処理機能に関係する事項を説明した文書を該プリンタにて印刷することができる電子楽器であって、
ユーザ操作に基づいてヘルプモードを指示する第１操作手段と、
表示手段に表示された所定の部分に対するユーザ操作を検出する第２操作手段と、
所定の処理機能の実行中にユーザへの説明を要する事象が発生したときに、当該事象を説明する案内画面をタイトルと共に上記表示手段に表示する案内表示手段と、
第１操作手段によりヘルプモードが指示されたことに基づいて、上記表示手段に表示されたタイトルの部分に対するユーザ操作の第２操作手段による検出を可能とする操作制御手段と、
第２操作手段により上記タイトルの部分への操作が検出されたことに基づいて、上記案内画面に関する事項を説明したヘルプ文書情報を取得する文書取得手段と、
上記文書取得手段により取得されたヘルプ文書情報を上記プリンタに出力する情報出力手段と
を具備することを特徴とする電子楽器。
【請求項２】
さらに、
前記表示手段に表示された操作要素に対するユーザ操作を検出し所定の処理を指示する第３操作手段
を具備し、
前記案内表示手段は、前記案内画面及びタイトルと共に上記操作要素を前記表示手段に表示し、
前記操作制御手段は、第１操作手段によりヘルプモードが指示されたことに基づいて、上記操作要素が操作された際に第３操作手段により指示する処理を、当該操作要素に対応する処理から当該操作要素自体の機能に関するヘルプ文書の印刷処理へと変更し、
前記文書取得手段は、指示する処理が変更された第３操作手段により上記操作要素への操作が検出されたことに基づいて、当該操作要素自体の機能に関するヘルプ文書情報を取得する
ことを特徴とする請求項１に記載の電子楽器。
【請求項３】
前記文書取得手段は、ヘルプ文書取得方法の種別を示す取得種別情報に従ってヘルプ文書情報を取得するものであり、該取得種別情報が第１の種別を示す場合は、所定のヘルプ文書生成アルゴリズムに従って前記ヘルプ文書情報を生成し、第２の種別を示す場合は、記憶手段より前記ヘルプ文書情報を読み出し、第３の種別を示す場合は、前記ヘルプ文書情報をネットワーク経由でサーバから取得することを特徴とする請求項１又は２に記載の電子楽器。
【請求項４】
プリンタが直接接続され、処理機能に関係する事項を説明した文書をプリンタにて印刷することができる電子楽器として機能し、ユーザ操作に基づいてヘルプモードを指示する第１操作手段と、表示手段に表示された所定の部分に対するユーザ操作を検出する第２操作手段とを具備するコンピュータに、
所定の処理機能の実行中にユーザへの説明を要する事象が発生したときに、当該事象を説明する案内画面をタイトルと共に表示手段に表示する案内表示ステップと、
第１操作手段によりヘルプモードが指示されたことに基づいて、上記表示手段に表示されたタイトルの部分に対するユーザ操作の第２操作手段による検出を可能とする操作制御ステップと、
第２操作手段により上記タイトルの部分への操作が検出されたことに基づいて、上記案内画面に関する事項を説明したヘルプ文書情報を取得する文書取得ステップと、
上記文書取得ステップで取得されたヘルプ文書情報を上記プリンタに出力する情報出力ステップと
から成る手順を実行させる電子楽器のためのプログラム。
【発明の詳細な説明】
【技術分野】
【０００１】
この発明は、電子楽器に直接接続されたプリンタによって電子楽器の機能や操作に関する説明を印刷することができる電子楽器システムに関する。
【背景技術】
【０００２】
最近の電子楽器は機能が複雑化し操作が難しくなっている。また、電子楽器のマニュアルは、ページ数も多く、常に手許に置くのはわずらわしい。そこで、ヘルプ機能をもった電子楽器が現れている。例えば、特許文献１には、電子楽器において、各操作子に対応したヘルプ表示をする技術が開示されている。しかしながら、このような従来技術では、ヘルプ指示によって電子楽器の操作状態に応じたヘルプを表示器に表示するだけであって、ヘルプを見ながらタッチパネルなどの画面操作をすることができない、特に、１画面に収まらないヘルプは、それを読むための操作が煩雑である、また、印刷することはできない、等々の不便がある。
【特許文献１】特開平５−２７７５３号公報
【０００３】
また、電子楽器で利用されるデータをプリンタで印刷する技術については、例えば、特許文献２には、ネットワークに介して電子楽譜データなどのダウンロードが可能なパーソナルコンピュータに電子楽器とプリンタとを接続することにより、パーソナルコンピュータ上の電子楽譜データをプリンタで印刷したり、電子楽譜データから生成した演奏用データで電子楽器に楽音を生成させたりする電子音楽システムが開示されている。
【特許文献２】特開２００４−１１７４８７号公報
【０００４】
このように、従来システムでは、電子楽器で専ら用いられるデータを印刷するのに、汎用のパーソナルコンピュータ（ＰＣ）を用いてプリンタを駆動しているので、システム構成が複雑となり、また、ＰＣを用いることで操作も複雑になってしまう。また、電子楽器に必要なデータのダウンロードもＰＣを通じて取得しなければならない。
【発明の開示】
【発明が解決しようとする課題】
【０００５】
この発明は、このような事情に鑑み、電子楽器の機能や操作に関する事項を説明した文書を、簡単な操作で、電子楽器に直接接続されたプリンタにより印刷し、パーソナルコンピュータなしの簡単なシステム構成により、電子楽器の機能や操作を分かり易く案内することができる電子楽器システムを提供することを目的とする。
【課題を解決するための手段】
【０００６】
この発明の主たる特徴に従うと、プリンタ（ＰＲ）が直接接続され（ＣＢ）、処理機能に関係する事項を説明した文書をプリンタ（ＰＲ）にて印刷することができる電子楽器（ＥＭ）であって、ユーザ操作に基づいてヘルプモードを指示する第１操作手段（１６ａ）と、表示手段（１７）に表示された所定の部分に対するユーザ操作を検出する第２操作手段（ＳＷ３５）と、所定の処理機能の実行中にユーザへの説明を要する事象が発生したときに（ＥＡ２＝ＹＥＳ）、当該事象を説明する案内画面（ＤＬ）をタイトル（エラーメッセージ）と共に表示手段（１７）に表示する案内表示手段（ＥＡ３）と、第１操作手段（１６ａ）によりヘルプモードが指示されたことに基づいて（Ｅ５＝ＹＥＳ，Ｅ１３＝ＮＯ，ＥＡ２＝ＹＥＳ）、表示手段（１７）に表示されたタイトル（エラーメッセージ）の部分に対するユーザ操作の第２操作手段（ＳＷ３５）による検出を可能とする操作制御手段（ＥＡ４〜ＥＡ６）と、第２操作手段（ＳＷ３５）によりタイトルの部分への操作が検出されたことに基づいて、案内画面（ＤＬ）に関する事項を説明したヘルプ文書情報を取得する文書取得手段（Ｅ１６〜Ｅ１９）と、文書取得手段（Ｅ１６〜Ｅ１９）により取得されたヘルプ文書情報をプリンタ（ＰＲ）に出力する情報出力手段（Ｅ３，Ｅ２０，Ｅ２１；ＥＰ４）とを具備する電子楽器（ＥＭ）〔請求項１〕、並びに、プリンタ（ＰＲ）が直接接続され（ＣＢ）、処理機能に関係する事項を説明した文書をプリンタ（ＰＲ）にて印刷することができる電子楽器として機能し、ユーザ操作に基づいてヘルプモードを指示する第１操作手段（１６ａ）と、表示手段（１７）に表示された所定の部分に対するユーザ操作を検出する第２操作手段（ＳＷ３５）とを具備するコンピュータ（ＥＭ）に、所定の処理機能の実行中にユーザへの説明を要する事象が発生したときに（ＥＡ２＝ＹＥＳ）、当該事象を説明する案内画面（ＤＬ）をタイトル（エラーメッセージ）と共に表示手段（１７）に表示する案内表示ステップ（ＥＡ３）と、第１操作手段（１６ａ）によりヘルプモードが指示されたことに基づいて（Ｅ５＝ＹＥＳ，Ｅ１３＝ＮＯ，ＥＡ２＝ＹＥＳ）、表示手段（１７）に表示されたタイトル（エラーメッセージ）の部分に対するユーザ操作の第２操作手段（ＳＷ３５）による検出を可能とする操作制御ステップ（ＥＡ４〜ＥＡ６）と、第２操作手段（ＳＷ３５）によりタイトルの部分への操作が検出されたことに基づいて、案内画面（ＤＬ）に関する事項を説明したヘルプ文書情報を取得する文書取得ステップ（Ｅ１６〜Ｅ１９）と、文書取得ステップ（Ｅ１６〜Ｅ１９）で取得されたヘルプ文書情報をプリンタ（ＰＲ）に出力する情報出力ステップ（Ｅ３，Ｅ２０，Ｅ２１；ＥＰ４）とから成る手順を実行させる電子楽器のためのプログラム〔請求項４〕が提供される。なお、括弧書きは実施例の参照記号や用語等を表わし、以下においても同様である。
【０００７】
また、この発明による電子楽器（ＥＭ）では、さらに、表示手段（１７）に表示された操作要素（詳細印刷ボタン、ＯＫボタン）に対するユーザ操作を検出し所定の処理を指示する第３操作手段（ＳＷ３３，ＳＷ３４）を具備し、案内表示手段（ＥＡ３）は、案内画面（ＤＬ）及びタイトル（エラーメッセージ）と共に操作要素（詳細印刷ボタン、ＯＫボタン）を表示手段（１７）に表示し、操作制御手段（ＥＡ４〜ＥＡ６）は、第１操作手段（１６ａ）によりヘルプモードが指示されたことに基づいて（Ｅ５＝ＹＥＳ，Ｅ１３＝ＮＯ，ＥＡ２＝ＹＥＳ）、操作要素（詳細印刷ボタン、ＯＫボタン）が操作された際に第３操作手段（ＳＷ３３，ＳＷ３４）により指示する処理を、操作要素（詳細印刷ボタン、ＯＫボタン）に対応する処理（エラー印刷、了解）から操作要素（詳細印刷ボタン、ＯＫボタン）自体の機能に関するヘルプ文書の印刷処理へと変更し、文書取得手段（Ｅ１６〜Ｅ１９）は、指示する処理が変更された第３操作手段（ＳＷ３３，ＳＷ３４）により操作要素（詳細印刷ボタン、ＯＫボタン）への操作が検出されたことに基づいて、操作要素（詳細印刷ボタン、ＯＫボタン）自体の機能に関するヘルプ文書情報を取得する〔請求項２〕ように構成することができる。
【０００８】
また、この発明による電子楽器（ＥＭ）では、文書取得手段（Ｅ１６〜Ｅ１９）は、ヘルプ文書取得方法の種別を示す取得種別情報（ヘルプテーブル）に従ってヘルプ文書情報を取得するものであり、取得種別情報が第１の種別（取得方法“０”）を示す場合は、所定のヘルプ文書生成アルゴリズムに従ってヘルプ文書情報を生成し、第２の種別（取得方法“１”，“２”）を示す場合は、記憶手段（３，４）よりヘルプ文書情報を読み出し、第３の種別（取得方法“３”）を示す場合は、ヘルプ文書情報をネットワーク（ＣＮ）経由でサーバ（ＳＶ）から取得する〔請求項３〕ように構成することができる。
【発明の効果】
【０００９】
この発明の主たる特徴による電子楽器システムでは（請求項１，４）、電子楽器（ＥＭ）は、パーソナルコンピュータなどを介することなくダイレクトにプリンタ（ＰＲ）が接続されると共に、ヘルプモードを指示する第１操作手段（１６ａ）が設けられる。所定の処理機能の実行中にユーザへの説明を要する事象が発生したときには（ＥＡ２＝ＹＥＳ）、当該事象を説明する案内画面（ＤＬ）をタイトル（エラーメッセージ）と共に表示手段（１７）に表示し（ＥＡ３）、第１操作手段（１６ａ）によりヘルプモードが指示されると（Ｅ５＝ＹＥＳ，Ｅ１３＝ＮＯ，ＥＡ２＝ＹＥＳ）、表示手段（１７）に表示されたタイトル部分に対するユーザ操作を第２操作手段（ＳＷ３５）により検出することが可能となる（ＥＡ５）。そして、第２操作手段（ＳＷ３５）によりタイトル部分への操作が検出されたことに応じて、案内画面（ＤＬ）に関する事項を説明したヘルプ文書情報を取得して（Ｅ１６〜Ｅ１９）プリンタ（ＰＲ）に出力し、ヘルプ文書を印刷する〔具体的には、プリンタＰＲから能力情報を取得し（Ｅ３）、プリンタＰＲの印刷能力に応じてヘルプ文書情報を印刷情報（印刷画像情報）に変換し（Ｅ２０）、印刷情報に基づく印刷処理を行う（Ｅ２１；ＥＰ４）〕。
【００１０】
従って、この発明によれば、パーソナルコンピュータなしで電子楽器に直接プリンタを接続した簡単なシステム構成により、案内画面のタイトル表示に対応する電子楽器の機能や操作に関する事項を説明したヘルプ文書を簡単な操作で印刷することができ、プリンタで印刷されたヘルプ文書によって電子楽器の機能や操作をユーザに分かり易く案内することができる。特に、案内画面のタイトル部分をソフトスイッチ化して関連したヘルプ文書を、電子楽器の限られた画面上ではなく、紙面上に印刷することにより、ユーザは、印刷紙面上の鮮明で詳しいヘルプ文書を見ながら、電子楽器の複雑な機能や操作を容易に理解し、画面操作を進めて行くことができる。
【００１１】
この発明による電子楽器（ＥＭ）では（請求項２）、案内画面（ＤＬ）及びタイトル（エラーメッセージ）と共に操作要素（詳細印刷ボタン、ＯＫボタン）を表示手段（１７）に表示し（ＥＡ３）、表示された操作要素（詳細印刷ボタン、ＯＫボタン）に対するユーザ操作があると、第３操作手段（ＳＷ３５）により、これを検出して操作要素（詳細印刷ボタン、ＯＫボタン）に対応する所定の処理（エラーの詳細印刷、了解）を指示するが、第１操作手段（１６ａ）によりヘルプモードが指示された場合に（Ｅ５＝ＹＥＳ，Ｅ１３＝ＮＯ，ＥＡ２＝ＹＥＳ）操作要素（詳細印刷ボタン、ＯＫボタン）へのユーザ操作があったときは、指示する処理を変更し、該操作要素（詳細印刷ボタン、ＯＫボタン）自体の機能に関するヘルプ文書の印刷処理を指示するようにしている（ＥＡ５）。そして、指示する処理を変更した第３操作手段（ＳＷ３３，ＳＷ３４）により操作要素（詳細印刷ボタン、ＯＫボタン）への操作を検出すると、当該操作要素（詳細印刷ボタン、ＯＫボタン）自体の機能に関するヘルプ文書情報を取得する（Ｅ１６〜Ｅ１９）。
例えば、第３操作手段（ＳＷ３３，ＳＷ３４）には、「詳細印刷ボタン」と呼ばれる操作要素に対するユーザ操作に基づいて現在の動作状態を説明した説明文書の印刷を実行すべきことを指示する操作子（ＳＷ３３）が含まれ、第１操作手段（１６ａ）によりヘルプモードが指示されないときは（Ｅ１３＝ＹＥＳ：通常モード）、第３操作手段の指示に基づいて説明文書情報（エラー詳細情報）を取得し（ＥＢ１）、ヘルプモードが指示されたときには（Ｅ１３＝ＮＯ）、第３操作手段の指示を変更して「詳細印刷ボタン」自体の機能に関するヘルプ文書を取得する（Ｅ１６〜Ｅ１９）。このように、実行すべき処理機能として説明文書の印刷が割り当てられた操作子については、ヘルプモードの指示の有無に応じて異なる内容のヘルプ文書及び説明文書を印刷することができる。
【００１２】
従って、この発明によれば、通常モードでは、案内画面の操作要素（詳細印刷ボタン、ＯＫボタン）を操作すると、操作した操作要素に対応する処理が行われるが、ヘルプモードで操作要素を操作すると、操作した操作要素自体の機能に関するヘルプ文書を印刷することができ、プリンタで印刷された鮮明で詳しいヘルプ文書によって、操作要素（詳細印刷ボタン、ＯＫボタン）自体の機能や操作をユーザに分かり易く案内することができる。
【００１３】
また、この発明による電子楽器（ＥＭ）では（請求項３）、ヘルプ文書取得方法の種別を示す取得種別情報（ヘルプテーブル）が用意されており、ヘルプ文書情報を取得する際は、この取得種別情報が示すヘルプ文書取得方法の種別に基づき、所定のヘルプ文書生成アルゴリズムに従ってヘルプ文書情報を生成する、記憶手段（３，４）よりヘルプ文書情報を読み出す、或いは、ヘルプ文書情報をネットワーク（ＣＮ）経由でサーバ（ＳＶ）から取得する、というようにしている。
【００１４】
従って、この発明によれば、電子楽器は、膨大なヘルプ文書情報を全て用意しておく必要がなく、ヘルプ文書蓄積の負担を軽減することができる。
【００１５】
なお、電子楽器で利用されるヘルプ文書情報は、当該電子楽器の取扱説明書の内容と同じでもよい。また、電子楽器からプリンタに出力する印刷情報は、画像データ即ち印刷画像情報であることが好ましい。この場合、電子楽器及びプリンタにＵＳＢインターフェースを設けて両機器間をＵＳＢケーブルで接続することによって更に簡単なシステム構成が得られる。さらに、通信プロトコルにPictBridge（登録商標）を採用することにより、両機器のメーカや機種に拘わらず相互接続可能となり、電子楽器からの印刷画像情報に従って、簡単に、プリンタでダイレクトに文書を印刷させることができる。
【発明を実施するための最良の形態】
【００１６】
以下、図面を参照しつつこの発明の好適な実施の一形態について説明する。しかしながら、これは単なる一例であって、この発明は、発明の精神を逸脱しない範囲で種々の変更が可能である。
【００１７】
〔電子楽器システムの概要〕
この発明による電子楽器システムは、電子鍵盤楽器を含む任意の種類の電子楽器、プリンタ及びサーバにより構成される。図１は、この発明の一実施例による電子楽器システムの構成例を示し、図１（１）はハードウエア構成ブロック図を表わし、図１（２）はシステム概念図を表わす。電子楽器ＥＭは、楽音情報処理機能を有する一種のコンピュータであり、中央処理装置（ＣＰＵ）１、ランダムアクセスメモリ（ＲＡＭ）２、読出専用メモリ（ＲＯＭ）３、外部記憶装置４、演奏操作検出回路５、設定操作検出回路６、表示回路７、音源回路８、効果回路９、ＵＳＢインターフェース（Ｉ／Ｆ）１０、ＭＩＤＩインターフェース（Ｉ／Ｆ）１１、通信インターフェース（Ｉ／Ｆ）１２などを備え、これら要素１〜１２はバス１３を介して互いに接続される。
【００１８】
ＣＰＵ１は、所定の制御プログラムに従い、タイマ１４によるクロックを利用して文書印刷処理を含む種々の音楽情報処理を実行し、ＲＡＭ２は、これらの処理に際して必要な各種データを一時記憶するためのワーク領域（例えば、イベントバッファやモードフラグレジスタ等）として用いられる。また、ＲＯＭ３には、これらの処理を実行するための各種制御プログラム〔処理ルーチン、ヘルプ文書生成アルゴリズム（生成ルーチン）、テーブル等を含む〕や、各種エラー原因を表わすエラー詳細情報、各種ヘルプ文書情報等のデータが予め記憶される。
【００１９】
外部記憶装置４は、ハードディスク（ＨＤ）等の内蔵記憶媒体の外に、コンパクトディスク・リード・オンリィ・メモリ（ＣＤ−ＲＯＭ）、フレキシブルディスク（ＦＤ）、光磁気（ＭＯ）ディスク、ディジタル多目的ディスク（ＤＶＤ）、スマートメディア（登録商標）等の小型メモリカード、等々、種々の可搬性の外部記録媒体を含み、任意の外部記憶装置４に、上述した制御プログラムやデータを記憶することができる。
【００２０】
演奏操作検出回路５は、鍵盤１５ａ〔図１（２）〕やホイール等を含む演奏操作子１５の操作内容を検出し、検出したユーザの演奏操作に対応する情報をシステムに導入する。
【００２１】
設定操作検出回路６は、電子楽器ＥＭの操作パネル上に設けられた設定操作子１６ｐの操作内容を検出する。設定操作子１６ｐには、図１（２）のように、記号“HelpPr”で例示されるモード切換えスイッチ１６ａと、記号“SW 1”〜“SW15”で例示されるその他のパネル設定スイッチ１６ｂとがある。ここで、モード切換えスイッチ(HelpPr)１６ａは、「ヘルプ印刷ボタン」とも呼ばれ、操作の度に電子楽器ＥＭの動作モードを「通常モード」から「ヘルプモード」へと或いはこの逆に切り換えるトグル動作を行う。また、パネル設定スイッチ(SW 1〜SW15)１６ｂの一部は、動作モードに応じて機能が切り換えられる。
【００２２】
表示回路７は、電子楽器ＥＭの演奏や設定に必要な各種画面を表示するＬＣＤ等のディスプレイ（表示器）１７や各種インジケータを備える。ディスプレイ１７は、「タッチパネル」と呼ばれる面状の２次元位置センサ１６ｔを表面全域に備えたタッチパネル付き表示器であり、ディスプレイ１７の各種表示画面の所定箇所に予め設定されたソフトスイッチ領域にユーザが接触操作したことをタッチパネル１６ｔにより検知することができる。図２は、ディスプレイの表示画面に設定されるソフトスイッチの例を示し、この画面例では、３つのソフトスイッチＳＷ３３〜ＳＷ３５が設定されている。
【００２３】
設定操作検出回路６は、タッチパネル１６ｔのソフトスイッチに対する操作内容をも検出し、このタッチパネル１６ｔ及び上述した設定操作子１６ｐの操作内容に対応したユーザの操作情報をシステム本体に導入する。表示回路７は、ディスプレイ１７やインジケータの表示・点灯内容をＣＰＵ１からの指令に従って制御し、操作子１５，１６；１６ｐ，１６ｔ（ソフトスイッチ）の操作に対する表示援助や演奏内容表示を行う。
【００２４】
音源回路８は、演奏操作子１５の鍵盤演奏操作に基づいて操作鍵に対応する楽音信号を生成し、効果回路９は、効果付与ＤＳＰを有し、演奏操作子１５のその他の操作子の演奏操作に基づく効果を音源回路８からの楽音信号に付与する。また、両回路８，９は、楽音信号生成部（音源部ともいう）を構成し、何れの回路もソフトウエアを含ませることができる。楽音信号生成部８，９は、さらに、ＲＯＭ３やＨＤなどの外部記憶装置４に記憶された演奏データに基いて楽音信号を生成することができる。そして、効果回路９に後置されたサウンドシステム１８は、Ｄ／Ａ変換部やアンプ、スピーカを備え、楽音信号生成部（音源部）８，９からの楽音信号に基づく楽音を発生する。
【００２５】
ＵＳＢＩ／Ｆ１０にはＵＳＢケーブルＣＢを通じてＵＳＢ対応プリンタＰＲが接続される。プリンタＰＲは、詳細な構成を図示しないが、基本的には、ＣＰＵ、ＲＡＭ、ＲＯＭ、印刷出力部及びＵＳＢＩ／Ｆを備え、電子楽器ＥＭからＵＳＢケーブルＣＢ及びＵＳＢＩ／Ｆを通じて入力されたヘルプ文書などの文書情報を印刷出力部で印刷物としてプリントアウトすることができる。また、ＭＩＤＩＩ／Ｆ１１には他のＭＩＤＩ音楽機器ＭＤが接続され、他の音楽機器ＭＤとの間でＭＩＤＩ演奏データを授受し、電子楽器ＥＭで利用することができる。さらに、通信Ｉ／Ｆ１２は、モデムを含み、インターネットやローカルエリアネットワーク（ＬＡＮ）などの通信ネットワークＣＮを介して、外部のサーバコンピュータ（以下、サーバという）ＳＶ等が接続される。サーバＳＶは、電子楽器ＥＭと同様の構成を有するが、演奏操作部や楽音信号生成部を備えていない。また、外部記憶装置には、制御プログラムやヘルプ文書情報などを含む種々の電子楽器用コンテンツを大量に蓄積しており、電子楽器ＥＭは、サーバＳＶからヘルプ文書情報を含むコンテンツをネットワークＣＮを通じて取得しヘルプ文書の印刷などに利用することができる。
【００２６】
ここで、この発明の一実施例による電子楽器システムの特徴を図２を例にして簡単に説明しておく。このシステムの電子楽器ＥＭは、ＵＳＢケーブルＣＢを通じてダイレクトに接続されたプリンタＰＲから印刷能力を取得する。操作パネルには設定操作子１６としてヘルプ印刷ボタン１６ａ及びパネル設定スイッチ１６ｂが設けられ、ディスプレイ１７上のタッチパネル１６ｔには各種案内画面ＤＬに対応してソフトスイッチＳＷ３３、ＳＷ３４が設定される。パネル設定スイッチ１６ｂ或いはソフトスイッチは、単独では（通常モード）、電子楽器ＥＭの処理機能乃至操作態様を変化させるのに用いられる。ヘルプ印刷ボタン１６ａを操作し且つパネル設定スイッチ１６ｂ及びソフトスイッチの何れかを操作すると、当該スイッチの機能を説明したヘルプ文書がプリンタＰＲの能力に応じて印刷される。各種案内画面ＤＬのタイトル部分は、ヘルプ印刷ボタン１６ａの操作によりソフトスイッチＳＷ３５として機能し、当該ソフトスイッチＳＷ３５の操作により、タイトル表示に対応する電子楽器の機能を説明するヘルプ文書が直接プリンタＰＲから印刷される。
【００２７】
以下、より詳しく説明する。図１（２）のシステム概念図における電子楽器ＥＭは、電子鍵盤楽器の操作パネル面を主体に簡略化図柄で例示したものである。電子楽器ＥＭの操作パネル面には、鍵盤１５ａや各種インジケータ（図示せず）、ヘルプ印刷ボタン１６ａ及びパネル設定スイッチ１６ｂを含む設定操作子１６ｐ、タッチパネル１６ｔが付いたディスプレイ１７等が配置される。ディスプレイ１７には、各種処理ルーチンの実行時に当該処理ルーチンに対応する案内画面が表示される。また、処理ルーチン実行時にユーザへの説明を要する事象が発生すると、更なる案内画面として、ソフトスイッチを備えた説明用ダイアログが元の画面に重ねて表示され、例えば、エラー発生の際は図２のようなエラーメッセージダイアログＤＬが更に表示される。図２は、外部記憶装置４の所定のメディアに演奏データ等の音楽情報を記録する“ミュージックデータレコーダ”処理ルーチンにおけるメディア初期化（フォーマット）に失敗した場合の画面表示を例示している。
【００２８】
図２の例では、ダイアログＤＬにはエラーメッセージが表示され、通常モードにおいて、エラー内容の詳細を印刷すべきことを指示するためのソフトスイッチ（詳細印刷ボタン）ＳＷ３３及びエラーメッセージを了解したことを指示するためのソフトスイッチ（ＯＫボタン）ＳＷ３４がタッチパネル１６ｔ上に設定されると共に、その旨が表示される。なお、タイトル表示部分には、通常モードではソフトスイッチの機能を持たないが、ヘルプモードでのみ、エラーメッセージダイアログＤＬに関するヘルプ文書を印刷すべきことを指示することができるソフトスイッチＳＷ３５が設定される。
【００２９】
電子楽器ＥＭの背面には、印刷情報を出力するためのＵＳＢ端子が設けられ、ＵＳＢ端子にはＵＳＢケーブルＣＢを介してＵＳＢ対応プリンタＰＲがダイレクトに接続される。電子楽器ＥＭ・プリンタＰＲ間が接続されると、電子楽器ＥＭはＵＳＢデバイスになり、プリンタＰＲはＵＳＢホストとして振舞う。そして、プリンタＰＲは、電子楽器ＥＭからの印刷情報に基づいて電子楽器ＥＭの機能や操作に関するヘルプ文書等をプリントアウトする。この場合、両機器間の通信プロトコルには、両機器のメーカや機種に拘わらず相互接続可能な“PictBridge（登録商標）”と呼ばれる規格を採用するのが好都合である。つまり、電子楽器ＥＭは、PictBridgeに対応した任意のプリンタＰＲに対してＳＩＣＤ（Still Image Capture Device）インターフェイスとしても機能し、プリンタＰＲは、電子楽器ＥＭからの印刷画像情報に従ってヘルプ文書を簡単に印刷することができる。
【００３０】
プリンタＰＲでヘルプ文書の印刷に用いる印刷情報の作成には、ＲＯＭ３や外部記憶装置（例えば、ＨＤ）４などの電子楽器ＥＭ内の記憶手段に用意されたヘルプ文書情報を利用することができるだけでなく、サーバＳＶに用意されたヘルプ文書情報を利用することができる。すなわち、電子楽器ＥＭは、その背面に設けられた通信Ｉ／Ｆ１２のネットワーク端子から通信ネットワークＣＮを経由してサーバＳＶと通信可能に接続され、ヘルプ文書情報などのコンテンツをサーバＳＶから取得することができる。電子楽器ＥＭでは、ヘルプ文書印刷の際、何れかのヘルプ文書情報を利用してプリンタＰＲへの印刷情報を生成することができる。なお、ヘルプ文書情報は、この電子楽器ＥＭの取扱説明書と同じ内容の情報でもよく、この場合、ヘルプ項目に応じたヘルプ文書情報が取扱説明書情報から抽出される。また、ヘルプ文書情報の取得先を指示する機能は、ヘルプモードにおける所定のパネル設定スイッチ１６ｂ（例えば、ＳＷ１〜ＳＷ４）に割り当てられ、当該パネル設定スイッチの操作により所望の取得先からヘルプ文書情報を取得することができる。
【００３１】
〔各種テーブルの例〕
図３は、この発明の一実施例による電子楽器で利用される各種テーブルの例を示す。図３（１）は、ディスプレイ画面上の各座標領域（タッチパネル１６ｔの操作位置）と当該座標領域への接触操作により生成されるスイッチ操作イベントとの対応関係を規定したソフトスイッチ変換テーブルの例を示す。ソフトスイッチ変換テーブルは、各処理ルーチンの案内画面毎かつ当該案内画面上のダイアログ毎に用意される。図３（１）の例は、前述した図２のように、“ミュージックデータレコーダ”処理ルーチンの案内画面上にエラーメッセージダイアログＤＬが表示される場合、「エラーの詳細印刷」、「ＯＫ」及び「エラーメッセージ」（タイトル部分）」の表示に対応する左欄の座標領域に対して右欄のソフトスイッチＳＷ３３〜ＳＷ３５が設定されることを表わしている。
【００３２】
図３（２）は、パネル設定スイッチ１６ｂ及びソフトスイッチの操作イベントと当該操作イベントに対応する処理ルーチンのアドレスとの対応関係を規定した機能テーブルについて、通常モードにおけるテーブル例を示す。機能テーブルの内容は、通常モードの場合とヘルプモードの場合で異なる。
【００３３】
例えば、ソフトスイッチＳＷ３３，ＳＷ３４は、通常モードの場合は、前述したようにエラー内容の詳細印刷やエラーメッセージの了解で指示される処理ルーチンのアドレスが割り当てられるが、ヘルプ印刷ボタン１６ａのユーザ操作によりヘルプモードになった場合には、ヘルプ文書印刷の処理ルーチンのアドレスが割り当てられ、当該ソフトスイッチＳＷ３３，ＳＷ３４自体の機能を説明するヘルプ文書を印刷すべきことを指示する。また、エラーメッセージダイアログＤＬのタイトル部分（ＳＷ３５）は、通常モードの場合は、対応する処理ルーチンのアドレスの割当てがなくソフトスイッチとしての機能を持たないが、ヘルプモードの場合には、ヘルプ文書印刷の処理ルーチンのアドレスが割り当てられ、エラーメッセージダイアログＤＬに関するソフトスイッチＳＷ３５として機能する。
【００３４】
図３（３）は、ヘルプモードにおける各パネル設定スイッチ１６ｂの操作イベントと当該操作イベントに対応するヘルプ文書情報の取得方法及び取得先との対応関係を規定したヘルプテーブルの例を示す。例えば、取得方法“０”は、生成ルーチンによる所定のヘルプ文書生成アルゴリズムに基づいてヘルプ文書情報を生成すべきことをＲＯＭ３上の生成ルーチンのアドレスで指示し、取得方法“１”は、ＲＯＭ３からヘルプ文書情報を取得すべきことを取得先のアドレスで指示し、取得方法“２”は、外部記憶装置４からヘルプ文書情報を取得すべきことを取得先のファイルパスで指示し、取得方法“３”は、サーバＳＶからヘルプ文書情報を取得すべきことを取得先のＵＲＬで指示する。
【００３５】
〔処理フロー例〕
図４及び図５は、この発明の一実施例による電子楽器全体処理の例を表わすフローチャートである。電子楽器ＥＭにおいて、電子楽器全体処理が開始（スタート）すると、まず、ステップＥ１（図４）で初期化を行った後、次のステップＥ２にて、プリンタＰＲが有効に接続されたか否かを判定する。ここで、プリンタＰＲが接続されていないときは（Ｅ２→ＮＯ）直ちにステップＥ４に進み、プリンタＰＲが接続されたときには（Ｅ２→ＹＥＳ）、ステップＥ３でプリンタＰＲとネゴシエーションを行ってプリンタＰＲの能力情報を取得した後、ステップＥ４に進む。
【００３６】
電子楽器ＥＭからの印刷情報をダイレクトにＵＳＢ対応プリンタＰＲに出力するには、既述のように、PictBridge（登録商標）を採用するのが好ましい。そこで、プリンタＰＲ・電子楽器ＥＭ間の印刷情報授受にPictBridge規格を採用した場合の動作例を説明する。
【００３７】
PictBridgeは、接続ポート（物理通信層）にＵＳＢを、転送プロトコル（転送層）にＰＴＰ（Picture Transfer Prtocol）を、Ｉ／Ｆアプリケーション層にＤＰＳを用いることを前提とし、ＰＴＰ層・ＤＰＳアプリケーション層間に変換レイヤーとしてＤＰＳ層を設け、ＤＰＳ層及びＤＰＳアプリケーション層とのＩ／Ｆプロトコルを規格化するものである。ＵＳＢ対応プリンタＰＲのＵＳＢ端子と電子楽器ＥＭのＵＳＢ端子との間がＵＳＢケーブルＣＢで有効に接続された際（電子楽器ＥＭとプリンタＰＲが予めケーブルで物理的に接続されており後から電源がオンになった場合を含む）には、後述する印刷処理（図４：Ｅ２１、図７：ＥＢ３、図８）に先立って次の処理（ａ）〜（ｅ）を実行する：
【００３８】
（ａ）ＵＳＢケーブルＣＢの有効的接続をトリガとして、ＵＳＢ仕様に従い、接続先機器情報を取得して機器種類などを自動認識する Enumeration処理を行い、プリンタＰＲはＵＳＢホスト機器として電子楽器ＥＭはＵＳＢＳＩＣＤとして相手機器から認識される。
（ｂ）ＰＴＰ仕様に従い、互いの機器が印刷画像情報転送のためのＰＴＰプロトコルに対応していることを確認して両機器間のＰＴＰの接続を確立する。
（ｃ）PictBridge仕様に従い、互いの機器がＤＰＳ機能を有することを通知し合う DPS_Discovery処理を行い、互いにPictBridge対応機器であることを認識する。
（ｄ）ＤＰＳアプリケーションが起動し、PictBridge仕様に従い、夫々のPictBridge対応機器が有するサービス機能を確認する DPS_ConfigurePrintService処理を行い、電子楽器ＥＭは、自身が印刷画像情報の供給機能をもつことをプリンタＰＲに通知すると共に印刷画像情報による印刷機能を要求し、プリンタＰＲは、自身が印刷画像情報の印刷機能の提供が可能であり相手の印刷画像情報供給機能を利用することを電子楽器ＥＭに通知する。
（ｅ）PictBridge仕様に従い、電子楽器ＥＭは、 DPS_GetCapabilityを発行してプリンタＰＲに設定可能な能力を問い合わせ、プリンタＰＲは、これに応じて、プリンタＰＲ自身が受け取ることのできる印刷画像情報のファイルフォーマット〔例えば、ビットマップ（ＢＭＰ）形式など〕等の印刷能力を表わす能力情報（Capability）を返送する。
【００３９】
さて、ステップＥ４では、演奏操作子１５の演奏操作がなされている場合は当該演奏操作に応じて楽音を生成し、演奏操作がない場合にはこのステップをスルーする。次のステップＥ５では、ヘルプ印刷ボタン１６ａが操作されたか否かを判定し、ヘルプ印刷ボタンＳＷ１６が操作されたときは（Ｅ５→ＹＥＳ）、ステップＥ６で、モードを表わすフラグを通常モード／ヘルプモードでトグルさせて電子楽器ＥＭの動作モードを切り換える。
【００４０】
ヘルプ印刷操作がないとき（Ｅ５→ＮＯ）或いは動作モードの切換え（Ｅ６）の後は、ステップＥ７で、タッチパネル１６ｔ即ちソフトスイッチが操作されたか否かを判定する。ここで、タッチパネル１６ｔが操作されたときは（Ｅ７→ＹＥＳ）、ステップＥ８に進み、ソフトスイッチ変換テーブル〔図３（１）〕に従い、タッチパネル１６ｔ上の操作位置（ソフトスイッチ）に応じてスイッチ操作イベントをＲＡＭ２のイベントバッファに格納する。さらに、ソフトスイッチ操作がないとき（Ｅ７→ＮＯ）或いは操作イベントのバッファ格納（Ｅ８）の後は、ステップＥ９で、操作パネル上のパネル設定スイッチ１６ｂが操作されたか否かを判定し、パネル設定スイッチ１６ｂが操作されたときは（Ｅ９→ＹＥＳ）、ステップＥ１０に進み、操作されたパネル設定スイッチ１６ｂに応じてスイッチ操作イベントをＲＡＭ２のイベントバッファに格納する。
【００４１】
パネル設定スイッチ１６ｂの操作がないとき（Ｅ９→ＮＯ）或いはスイッチ操作イベントのバッファ格納（Ｅ１０）の後は、ステップＥ１１（図５）で、イベントバッファにスイッチ操作イベントがあるか否かを判定する。ここで、スイッチ操作イベントがないときは（Ｅ１１→ＮＯ）ステップＥ２に戻り、操作イベントがない間は、上述したステップＥ２〜Ｅ１１の処理を繰り返し、ユーザ演奏操作に基づく楽音生成を行うことができる。
【００４２】
一方、スイッチ操作イベントがあるときには（Ｅ１１→ＹＥＳ）、ステップＥ１２でイベントバッファからスイッチ操作イベントを取り出し、さらに、ステップＥ１３に進んでモードを表わすフラグは通常モードであるか否かを判定する。ここで、通常モードであるときは（Ｅ１３→ＹＥＳ）、ステップＥ１４で、機能テーブル〔図３（２）〕に従ってスイッチ操作イベントに対応した処理ルーチンのアドレスを取得し、さらに、ステップＥ１５に進んで当該処理ルーチンを実行する。
【００４３】
図６は、ステップＥ１５で実行される処理ルーチンの一般的な処理例を示す。図６において、最初のステップＥＡ１では、ステップＥ１４で取得したアドレスの処理ルーチンに従って対応する所定の機能を実行し、次のステップＥＡ２にて、エラー発生、状態遷移、モード変更などのユーザへの説明を要する事象が起きたか否かを判定する。ここで、かかる事象がないときは（ＥＡ２→ＮＯ）、この処理ルーチンを終了して電子楽器全体処理のステップＥ２（図４）にリターンし、エラー発生などのユーザへの説明を要する事象が起きたときには（ＥＡ２→ＹＥＳ）、ステップＥＡ３以下の処理を実行する。
【００４４】
まず、ステップＥＡ３でディスプレイ１７の画面表示を変更し、例えば、エラーメッセージ等のダイアログＤＬを表示し、次に、ステップＥＡ４に進み、タッチパネル操作位置とスイッチ操作イベントとのソフトスイッチ変換テーブル〔図３（１）〕を当該画面に対応するものに差し替える。さらに、ステップＥＡ５で、必要に応じて機能テーブル〔図３（２）〕を差し替え、ステップＥＡ６では、必要に応じてヘルプテーブル〔図３（３）〕を差し替えてこの処理ルーチンを終了し、上述のステップＥ２（図４）にリターンする。
【００４５】
図６の処理ルーチンにおける機能実行段階ＥＡ１の処理例として、前述のように外部記憶装置４の所定メディアを初期化する場合について説明すると、所定機能の実行段階ＥＡ１で、メディアの初期化処理を行い、エラー発生による画面表示の変更段階ＥＡ３では、図２のように、エラーメッセージを含んだダイアログＤＬを表示し、続くソフトスイッチ変換テーブルの差替え段階ＥＡ４にて、ダイアログＤＬ内の詳細印刷ボタンＳＷ３３及びＯＫボタンＳＷ３４の位置を反映したソフトスイッチ変換テーブル〔図３（１）〕に差し替える。さらに、機能テーブル〔図３（２）〕の差替え段階ＥＡ５では、詳細印刷ボタンＳＷ３３の処理ルーチン及びＯＫボタンＳＷ３４の処理ルーチンを反映した機能テーブルに差し替え、ヘルプテーブル〔図３（３）〕の差替え段階ＥＡ６では、詳細印刷ボタンＳＷ３３についてのヘルプ情報及びＯＫボタンＳＷ３４についてのヘルプ情報を反映したヘルプテーブルに差し替える。
【００４６】
図７は、図２のエラーメッセージダイアログＤＬ内の詳細印刷ボタンＳＷ３３を押下操作した場合に図６の処理ルーチンの機能実行段階ＥＡ１で実行される「詳細印刷ボタン処理」の機能を表わすフローチャートである。まず、ステップＥＡ１では、対応する詳細エラー情報をＲＯＭ３から取得し、次のステップＥＢ２で、ＲＯＭ２内のフォント情報を利用して、取得したエラー原因詳細情報から、プリンタの印刷能力に合った印刷画像情報（画像ファイル）を作成する。そして、ステップＥＢ３にて、作成した印刷画像情報に従って印刷処理を実行してエラー原因の詳細をプリンタＰＲによりプリントアウトし、この詳細印刷ボタン処理を終了し図６の処理ルーチンの事象判定段階ＥＡ２にリターンする。
【００４７】
このようにして処理ルーチン（Ｅ１５）を実行した後は、ステップＥ２に戻り、電子楽器ＥＭの動作モードが通常モードの間は、上述したステップＥ２〜Ｅ１１の処理を繰り返し、パネル設定操作に基づく各種処理ルーチンを実行することができる。
【００４８】
これに対して、電子楽器ＥＭの動作モードが通常モードではなくヘルプモードであるときには（Ｅ１３→ＮＯ）、ステップＥ１６以下のヘルプ処理が行われる。まず、ステップＥ１６では、ヘルプテーブル〔図３（３）〕に従って、スイッチ操作イベントに対応するヘルプ文書情報を取得し、続くステップＥ１７において、ヘルプ文書情報の取得方法は生成ルーチンによるか否かを判定する。
【００４９】
ここで、生成ルーチンによりヘルプ文書情報を取得するときは（Ｅ１７→ＹＥＳ）、ステップＥ１８で、ＲＯＭ３から所定の生成ルーチン（ヘルプ文書生成アルゴリズム）をＲＡＭ２上に呼び出し、当該生成ルーチンに従ってヘルプ文書情報を生成する。一方、生成ルーチンによらず既成のヘルプ文書情報を取得するときは（Ｅ１７→ＮＯ）、ステップＥ１９において、当該ヘルプ文書情報の記憶場所を示すＲＯＭ３のアドレス、外部記憶装置４へのファイルパス、ＵＲＬを辿って、当該ヘルプ文書情報を取得する。
【００５０】
必要なヘルプ文書情報の取得（Ｅ１８，Ｅ１９）後は、ステップＥ２０で、取得したヘルプ文書情報に基づいてプリンタＰＲの印刷能力に対応した所定の印刷画像情報（画像ファイル）を生成する。ここで、例えば、取得したヘルプ文書情報が画像データの場合、プリンタＰＲの印刷能力に合わせて印刷画像情報に変換し、テキストの場合は、ＲＯＭ３上のフォント情報を用いてプリンタＰＲの印刷能力に合った印刷画像情報を生成する。また、取得したヘルプ文書情報が既にプリンタＰＲの印刷能力に適った画像データの場合には、当該ヘルプ文書情報をそのまま印刷画像情報とする。なお、電子楽器ＥＭは、既にステップＥ３にて、プリンタＰＲの能力情報から印刷画像情報のファイルフォーマット〔例えば、ビットマップ（ＢＭＰ）形式など〕等のプリンタＰＲの印刷能力を取得している。
【００５１】
このようにして印刷画像情報を生成すると（Ｅ２０）、ステップＥ２１にて、生成された印刷画像情報に基づいて印刷処理を実行して、プリンタＰＲからヘルプ文書をプリントアウトし、ステップＥ２に戻り、上述したステップＥ２〜Ｅ２１の処理を繰り返す。
【００５２】
図８は、PictBridge規格を採用した場合における電子楽器全体処理のエラー原因の詳細印刷処理やヘルプ文書の印刷処理（図７：ＥＢ３，図５：Ｅ２０）の例を表わしたフローチャートである。図８において、電子楽器ＥＭは、まず、１ページずつ、印刷画像情報（画像ファイル）に対応するファイル情報を作成し（ステップＥＰ１）、次いで、プリンタＰＲに対して（１）DPS_StartJobを発行し印刷画像情報の印刷開始を要求する（ＥＰ２）。プリンタＰＲは、電子楽器ＥＭからのDPS_StartJobを受け付けると（ステップＰ１）、電子楽器ＥＭに対して（２） DPS_GetFileInfoを発行して印刷に必要なファイル情報（印刷画像情報のファイルサイズ等）を要求する（Ｐ２）。
【００５３】
電子楽器ＥＭは、プリンタＰＲからの DPS_GetFileInfoに応じて（３）ファイル情報（FileInfo）をプリンタＰＲに返送する（ＥＰ３）。プリンタＰＲは、電子楽器ＥＭからのファイル情報（FileInfo）を受け取ると（Ｐ３）、電子楽器ＥＭに対して（４） DPS_GetFileを発行して実際の印刷画像情報を要求する（Ｐ４）。
【００５４】
電子楽器ＥＭは、プリンタＰＲからの DPS_GetFileに応じて（５）実際の印刷画像情報（File）をプリンタＰＲに返送する（ＥＰ４）。プリンタＰＲは、電子楽器ＥＭからの印刷画像情報を受け取り（Ｐ５）、受け取った印刷画像情報に基づくヘルプ文書を印刷した後（Ｐ６）、（６）その結果をDPS_NotifyDeviceStatusで電子楽器ＥＭに通知し（Ｐ７）、StartJob受付け段階（Ｐ１）に戻る。
【００５５】
電子楽器ＥＭは、プリンタＰＲからのDPS_NotifyDeviceStatusを受けると（ＥＰ５）、１ページ分の印刷画像情報の印刷処理を実行したことを確認し、全ページの印刷画像情報を印刷したか否かを判定する（ＥＰ６）。ここで、全ページ分を印刷していないときは（ＥＰ６→ＮＯ）ファイル情報作成段階（ＥＰ１）に戻り、次の情報授受シーケンス（１）〜（６）を通じ次ページ分の印刷画像情報の印刷処理を実行する。そして、全ページの印刷処理を終了したときに（ＥＰ６→ＹＥＳ）、この印刷処理を終了し、各種処理ルーチン或いは電子楽器全体処理の第２ステップ（図６：ＥＡ２，図４：Ｅ２）にリターンする。
【図面の簡単な説明】
【００５６】
【図１】この発明の一実施例による電子楽器システムの構成例を示す。
【図２】この発明の一実施例による電子楽器の表示画面に設定されるソフトスイッチの例を示す。
【図３】この発明の一実施例による電子楽器で利用される各種テーブルの例を示す。
【図４】この発明の一実施例による電子楽器における全体処理の例を表わすフローチャートの一部である。
【図５】この発明の一実施例による電子楽器における全体処理の例を表わすフローチャートの他部である。
【図６】この発明の一実施例による電子楽器における処理ルーチンの一般的な例を表わすフローチャートである。
【図７】この発明の一実施例による電子楽器における詳細印刷ボタン処理の例を表わすフローチャートである。
【図８】この発明の一実施例による電子楽器システムにおける印刷処理の例を表わすフローチャートである。
【符号の説明】
【００５７】
ＣＢ  構成要素１〜１８を持つ電子楽器ＥＭとプリンタＰＲを接続するＵＳＢケーブル、
１６ｐ  ヘルプ印刷ボタン（モード切換えスイッチ）１６ａ及びその他のパネル設定スイッチ１６ｂ；ＳＷ１〜ＳＷ１５を含む操作パネル上の設定操作子、
１６ｔ  ソフトスイッチＳＷ３３〜ＳＷ３５が設定されるタッチパネル、
ＤＬ  エラーメッセージ等のダイアログ。
【図１】
0004618180.tif 000002
【図２】
0004618180.tif 000003
【図３】
0004618180.tif 000004
【図４】
0004618180.tif 000005
【図５】
0004618180.tif 000006
【図６】
0004618180.tif 000007
【図７】
0004618180.tif 000008
【図８】
0004618180.tif 000009